(57)【特許請求の範囲】
【請求項１】
巻線が巻回される巻枠部を有するドラム型コアと、
ケース外周面から外側に向かって延伸する延出部を有すると共に、上記巻枠部を覆うケース体と、
上記ドラム型コアに巻回される巻線の端末を絡げると共に上記延出部と重なる位置に設けられる絡げ端子、および上記ケース体の端面に位置する平面端子を有する端子部材と、
を具備し、
上記巻線の端末は上記延出部と上記絡げ端子の両方に絡げられ、
上記端子部材には、上記ケース外周面における取り付けを補強するための補強取付部が設けられていて、
上記絡げ端子および上記補強取付部は、上記平面端子から折れ曲がって上記ケース体のケース外周面に沿う外周端子部に対して一体的に設けられていて、
上記ケース体は、その平面形状が多角形状に形成されていて、
上記延出部は、上記多角形状を為す一方のケース外周面から突出していて、
上記外周端子部は、上記一方のケース外周面に位置すると共に、上記絡げ端子が突出している第１の外周端子部と、上記一方のケース外周面と隣り合う他方のケース外周面に位置すると共に、上記補強取付部が突出している第２の外周端子部と、を有していて、
上記補強取付部は、上記第２の外周端子部から突出する長さ寸法が、上記第１の外周端子部から離間するにつれて大きくなるテーパ形状を有している、
ことを特徴とするインダクタ。
【請求項２】
前記ケース体の前記ケース外周面には、前記外周端子部および前記補強取付部を取り付けるための取付凹部が設けられていることを特徴とする請求項１記載のインダクタ。
【請求項３】
前記補強取付部は、その外観が三角形状に形成されていることを特徴とする請求項１または２記載のインダクタ。
【請求項４】
前記補強取付部は、その外観が長方形状に形成されていることを特徴とする請求項１または２記載のインダクタ。
【発明の詳細な説明】
【技術分野】
【０００１】
本発明は、携帯端末の液晶画面のバックライト駆動用等に適用されるインダクタに関する。
【背景技術】
【０００２】
従来より、ドラム型コアの巻軸に巻線を巻回し、ドラム型のコアの一方の鍔部に平面型の端子（平面端子）を取り付けた構成を有する、面実装タイプのインダクタが存在する。このようなタイプのインダクタとしては、特許文献１〜３に開示の構成が存在する。このうち、特許文献１および特許文献２には、端子のうちドラム型コアの下鍔部側の面積を広げることにより、外部衝撃に対する衝撃信頼性を高めたインダクタの構成が開示されている。さらに、特許文献３には、ドラム型コアの下鍔部側の面積を広げると共に、この端子の接着面に非メッキ部分が設け、かつベースを挟持するようにしたインダクタの構成が開示されている。
【０００３】
【特許文献１】特開２００１−３３８８１８号公報（段落番号００４１、図２〜図６参照）
【特許文献２】特開２００３−１０９８２３号公報（段落番号００３６、図２〜図６参照）
【特許文献３】特開２００２−２３１５３３号公報（段落番号００３０、図１、図２参照）
【発明の開示】
【発明が解決しようとする課題】
【０００４】
ところで、携帯端末に内蔵されるインダクタにおいては、携帯端末の特性上、薄型化が図られること、および落下強度が大きいことが要求されている。その要求に応えるべく、携帯端末用としては、高さ方向の寸法を小とすることが可能なドラム型コアを採用すると共に、基板に対して直接的に面実装されるインダクタが、多く採用されている。
【０００５】
ここで、ドラム型コアを用いたインダクタにおいて、製造時もしくは落下等に起因する衝撃を受けた際等に、巻線端末を絡げる絡げ端子が折れたり、曲がったり等して破損するという問題が生じる。すなわち、面実装タイプのインダクタにおいては、高さ方向への寸法を抑えるため、一般に絡げ端子を径方向外側に突出させている。このような構成にした場合、組み立て作業時等に、絡げ端子に冶具や手がぶつかってしまい、絡げ端子を折ってしまうことがある。
【０００６】
そのため、絡げ端子は、極力突出させない方が好ましい。その場合、一般に端子部材は、該突出の防止と、接着強度の確保といった面を両立させるため、複雑な形状となりがちである。特に、特許文献１および２に開示されている構成では、端子部材がリングコアの内周面側に折り曲げられる複雑な形状をしている。かかる形状を形成するためには、リングコアの形状に合わせて折り曲げ加工を行う必要があり、その分だけ工数がかさみ、コストが掛かる、という問題がある。
【０００７】
さらに、特許文献３に開示されている構成では、端子部材の形状が複雑であると共に、ベースにドラム型コアを載置／接着している。このため、ベースの厚み分だけ、インダクタの薄型化が困難となる、という問題がある。
【０００８】
本発明は上記の事情にもとづきなされたもので、その目的とするところは、端子部材の接着強度を向上させると共に、薄型化を図ることが可能なインダクタを提供しよう、とするものである。
【課題を解決するための手段】
【０００９】
上記課題を解決するために、本発明は、巻線が巻回される巻枠部を有するドラム型コアと、ケース外周面から外側に向かって延伸する延出部を有すると共に、巻枠部を覆うケース体と、ドラム型コアに巻回される巻線の端末を絡げると共に延出部と重なる位置に設けられる絡げ端子、およびケース体の端面に位置する平面端子を有する端子部材と、を具備し、巻線の端末は延出部と絡げ端子の両方に絡げられ、端子部材には、ケース外周面における取り付けを補強するための補強取付部が設けられていて、絡げ端子および補強取付部は、平面端子から折れ曲がってケース体のケース外周面に沿う外周端子部に対して一体的に設けられていて、ケース体は、その平面形状が多角形状に形成されていて、延出部は、多角形状を為す一方のケース外周面から突出していて、外周端子部は、一方のケース外周面に位置すると共に、絡げ端子が突出している第１の外周端子部と、一方のケース外周面と隣り合う他方のケース外周面に位置すると共に、補強取付部が突出している第２の外周端子部と、を有していて、補強取付部は、第２の外周端子部から突出する長さ寸法が、第１の外周端子部から離間するにつれて大きくなるテーパ形状を有しているものである。
【００１０】
このように構成した場合には、巻線の端末が延出部と絡げ端子の両方に絡げられるため、巻線の端末が絡げ端子に対して鋭角に接触しない。そのため、巻線の端末に大きなストレスがかからず、断線等の不具合が生じるのを防ぐことができる。また、補強取付部の存在により、端子部材のケース体に対する取付強度を高めることが可能となる。そのため、インダクタの薄型化が図られつつも、取付強度等を高めることができ、インダクタに破損が生じるのを低減させることができる。
【００１１】
また、絡げ端子および補強取付部が別体的な場合と比較して、強度的に向上させることができる。また、インダクタを組み立てる際の工数を削減することができる。
【００１３】
また、補強取付部は、絡げ端子が存在する第１の外周端子部に対して所定角度を為す第２の外周端子部から突出する構成となる。このようにすれば、絡げ端子を挟んで両側に補強取付部が位置する構成となる。このため、端子部材に対して平面端子が浮き上がる方向にモーメントが付与された場合でも、該モーメントに抗して平面端子が浮き上がるのを抑えることが可能となる。特に、延出部と絡げ端子との間に隙間がある状態で両者に巻線の端末を絡げると、巻線の張力により隙間を無くする方向に端子部材が回動し、平面端子が浮き上がりがちとなるが、所定角度を為す第２の外周端子部に補強取付部を設けることにより、そのような浮き上がりを抑えることができる。
【００１４】
また、第１の外周端子部から離間する長さ寸法が大きくなるにつれて、補強取付部の長さ寸法が大きくなる。そのため、ケース体のケース外周面に対する端子部材の取付強度を、一層向上させることができる。また、取付強度を確保しながらも、絡げ端子と補強取付部とが干渉しない構成となる。
【００１５】
また、他の発明は、上述の各発明に加えて更に、ケース体のケース外周面には、外周端子部および補強取付部を取り付けるための取付凹部が設けられているものである。このように構成した場合には、外周端子部がケース体のケース外周面に取り付けられた場合でも、該外周端子部がケース体の外方に飛び出す寸法を低減することができる。そのため、インダクタの幅方向の寸法が増大するのを抑えることができる。
【００１６】
また、他の発明は、上述の各発明に加えて更に、補強取付部は、その外観が三角形状に形成されているものである。このように構成した場合には、該三角形状の補強取付部により、ケース体に対する取付面積が増大し、取付強度を向上させることができる。また、三角形状の頂部側がケース外周面に当接するため、平面端子が浮き上がる方向に端子部材が回転するのを抑制することができる。
【００１７】
さらに、他の発明は、上述の各発明に加えて更に、補強取付部は、その外観が長方形状に形成されているものである。このように構成した場合には、長方形状の補強取付部により、ケース体に対する取付面積が増大し、取付強度を向上させることができる。また、長方形状の突出側がケース外周面に当接するため、平面端子が浮き上がる方向に端子部材が回転するのを抑制することができる。
【００１８】
また、他の発明は、巻線が巻回される巻枠部を有するドラム型コアと、巻枠部を覆うケース体と、ドラム型コアに巻回される巻線の端末を絡げる絡げ端子、およびケース体の端面に位置する平面端子を有する端子部材と、を具備し、端子部材には、ケース外周面における取り付けを補強するための補強取付部が設けられているものである。
【００１９】
このように構成した場合には、補強取付部の存在により、端子部材のケース体に対する取付強度を高めることが可能となる。そのため、インダクタの薄型化が図られつつも、取付強度等を高めることができ、インダクタに破損が生じるのを低減させることができる。
【発明の効果】
【００２０】
本発明によると、端子部材の接着強度を向上させることができる。また、インダクタの薄型化を図ることが可能となる。
【発明を実施するための最良の形態】
【００２１】
以下、本発明の一実施の形態に係るインダクタについて、図１から図７に基づいて説明する。図１は、本発明の一実施の形態に係るインダクタ１０の構成を示す斜視図であり、端子部材５０が設けられない側を上方にした状態を示す図である。また、図２は、同じくインダクタ１０の構成を示す斜視図であり、端子部材５０が設けられる側を上方にした状態を示す斜視図である。さらに、図３は、インダクタ１０の構成を示す平面図であり、端子部材５０が設けられない側から見た状態を示す図である。
【００２２】
また、図４は、同じくインダクタ１０の構成を示す平面図であり、端子部材５０が設けられる側から見た状態を示す図である。さらに、図５は、図１において矢示Ａ方向に沿って切断したインダクタ１０の構成を示す側断面図である。また、図６は、図１において矢示Ａ方向から見たインダクタ１０の正面図であり、図７は、図１において矢示Ｂ方向から見たインダクタ１０の側面図である。
【００２３】
なお、以下の説明においては、上方側（上端側）とは、後述する上フランジ部２２が存在する側を指し、下方側（下端側）とは、後述する下フランジ部２３が存在する側を指すものとする。また、図１〜図４、図７においては、後述する巻線３０の図示は省略しているが、巻枠部２４、延出部４７および絡げ端子５４には、巻線３０（延出部４７および絡げ端子５４においては、巻線３０の端末３１）が存在している。
【００２４】
図１、図２および図５等に示すように、インダクタ１０は、面実装タイプのインダクタであり、ドラム型コア２０と、銅製の巻線３０（図５参照）と、非導電性部材のケース体４０と、端子部材５０とを有している。
【００２５】
ドラム型コア２０は、ニッケル系のフェライトコア等の磁性材から構成されている。しかしながら、ドラムコア２０の材質はフェライトコアには限られず、パーマロイ等、他の磁性材であっても良い。このドラム型コア２０は、ケース体４０の内部に配置される。図５に示すように、ドラム型コア２０は、巻軸２１と、巻軸２１の上下方向両端に形成された上フランジ部２２及び下フランジ部２３とを有している。本実施の形態では、上フランジ部２２の外径は、下フランジ部２３の外径より僅かに大きい構成となっている。しかしながら、上フランジ部２２の外径を、下フランジ部２３の外径と略同一としても良い。
【００２６】
図５に示すように、下フランジ部２３の下面２３ａの外周縁には、段部２３ｂが設けられている。段部２３ｂは、下面２３ａよりも上フランジ部２２側に向かって切り欠かれた部分であり、該下面２３ａの周方向全範囲に渡って設けられている。この段部２３ｂには、後述する鍔部４５が嵌合する。
【００２７】
また、巻軸２１の外周には、巻線３０が巻回される。巻線３０は、その断面の直径が約０．０３５ｍｍの極細線が用いられる。なお、以下の説明においては、巻軸２１と上フランジ部２２および下フランジ部２３とで囲まれる部分を、巻枠部２４とする。
【００２８】
また、図１〜図７に示すように、ドラム型コア２０の外周側には、例えば樹脂といった、非導電性部材を材質とするケース体４０が設けられている。ケース体４０は、巻線３０の外周側および下フランジ部２３の外周を覆うように、ドラム型コア２０の外側に配置されている。このケース体４０は、上述のドラム型コア２０と同様に、その外観が略リング状の部材である。そのため、ケース体４０には、該リング状を構成する孔部４１が、その中央部に設けられている。孔部４１には、ドラム型コア２０が、その下フランジ部２３側から嵌め込まれる。
【００２９】
ここで、図３および図４に示すように、ケース体４０は、円形リング状ではなく、正方形の４つの頂部のうち、３つの頂部を、該正方形の対角線に平行となるように切り欠いている（以下、この切欠部分をケース外周小面４２という。）と共に、１つの頂部が円弧を描くように形成している（以下、この円弧部分を円弧面４３という。）。また、３つのケース外周小面４２のうち、円弧面４３と対向するケース外周小面４２ａは、円弧面４３と隣り合う他の２つのケース外周小面４２ｂ，４２ｃよりも小面積となるように設けられている。
【００３０】
また、以下の説明においては、ケース体４０のケース外周面のうち、ケース外周小面４２ａ〜４２ｃよりも大面積のケース外周面を、ケース外周大面４４ａ〜４４ｄとする。なお、ケース外周小面４２およびケース外周大面４４は、ケース外周面に相当する。
【００３１】
また、孔部４１の下端側には、該孔部４１の内径を狭める方向に向かい、全周に亘って突出する、鍔部４５が設けられている。この鍔部４５には、上述した段部２３ｂが嵌合する（図５参照）。かかる嵌合により、ドラム型コア２０は、図５における下方向において、ケース体４０に対して位置決めされる。なお、本実施の形態では、ケース体４０の下面４０ａの方が、ドラム型コア２０の下面２３ａよりも下方に向かって突出している。
【００３２】
また、ケース体４０の下面側には、取付凹部４６が設けられている。取付凹部４６は、ケース体４０のケース外周面の下方側と下面４０ａに跨って設けられている。また、取付凹部４６は、ケース外周面の下方において、ケース外周小面４２ｂの全体と、ケース外周大面４４ａ，４４ｄの半分よりも少ない領域、およびケース外周小面４２ｃの全体と、ケース外周大面４４ｂ，４４ｃの半分よりも少ない領域に亘って設けられている。この取付凹部４６には、後述する端子部材５０が位置し、接着により取り付けられる。かかる取り付けにより、端子部材５０は、下面２３ａおよび下面４０ａよりも下方に向かって突出するものの、その突出寸法が低減されている。
【００３３】
なお、以下の説明においては、取付凹部４６のうち、ケース外周小面４２ｂ，４２ｃに存在する部分を取付凹部４６ａとする。また、取付凹部４６のうち、ケース外周大面４４ａ〜４４ｄが存在する部分を取付凹部４６ｂとする。さらに、取付凹部４６のうち、下面４０ａに存在する部分を取付凹部４６ｃとする。また、本実施の形態では、取付凹部４６のうち下面４０ａ側の部分（後述する取付凹部４６ｃ）は、ドラム型コア２０の下面２３ａと略面一に設けられている（図５参照）。
【００３４】
また、ケース体４０には、当該ケース体４０の径方向外側に突出する延出部４７が設けられている。延出部４７は、本実施の形態では、ケース外周小面４２ｂ、４２ｃから外方に向かって突出している。また、延出部４７は、ドラム型コア２０の高さ方向（図５における上下方向）において、端子部材５０の絡げ端子５４と重なる位置に配置される。図２、図４および図６に示すように、延出部４７は、絡げ端子５４より幅広となっている。すなわち、延出部４７は、図４における上下方向の長さが絡げ端子５４の同方向における長さに比べて長く形成されている。
【００３５】
また、図１等に示すように、延出部４７の上面側には、突起部４８が設けられている。突起部４８は、本実施の形態では、その断面形状が略半円形状となるように設けられている。かかる突起部４８の存在により、延出部４７および絡げ端子５４に絡げられる巻線３０の端末３１の位置決めが為される。
【００３６】
なお、本実施の形態では、延出部４７の下面は、絡げ端子５４の上面に対して、僅かに隙間を介して配置される（図５〜図７参照）。この隙間は、非導電性部材、具体的には樹脂で成形されるケース体４０の寸法精度のばらつきを考慮して設けられたものである。この隙間をなくし、延出部４７を絡げ端子５４に密着させた構造としてもよい。
【００３７】
また、ケース体４０の鍔部４５が形成された側の端部（図５における下端）には、端子部材５０が嵌合固定される。端子部材５０は、板状の金属部材をプレスによって打ち抜かれて形成される部品である。
【００３８】
端子部材５０は、平面端子５１と、外周端子部５２と、補強取付部５３と、絡げ端子５４とを有している。このうち、平面端子５１は、ケース体４０の鍔部４５に接着固定される接着面を裏面とする部分である。この平面端子５１は、図２、図４〜図７に示すように、インダクタ１０の下面側に配置され、当該インダクタ１０が基板（図示省略）に面実装される際の、基板のランドとの接触部となる。平面端子５１は、リフロー半田によって、基板のランドに電気的に接続されると共に固定される。
【００３９】
本実施の形態では、平面端子５１は、ドラム型コア２０の下フランジ部２３の外周縁に沿って内周側が円弧形状に形成されている。また、外周端子部５２は、該平面端子５１から略９０度を為す状態で折れ曲がっている。この外周端子部５２は、上述の取付凹部４６に位置する部分である。かかる取付凹部４６に対する嵌め込みを良好にするために、外周端子部５２の高さ寸法および周方向寸法は、取付凹部４６よりも小さく形成されている。なお、取付凹部４６はケース外周小面４２ｂとケース外周大面４４ａ，４４ｄ（ケース外周小面４２ｃとケース外周大面４４ｂ，４４ｃ）とに跨っているため、外周端子部５２も、ケース外周小面４２ｂとケース外周大面４４ａ，４４ｄ（ケース外周小面４２ｃとケース外周大面４４ｂ，４４ｃ）の３面に跨るように設けられている。
【００４０】
なお、平面端子５１および外周端子部５２に存在する折り曲げ部位には、直角ではなく、やや丸み（Ｒ形状）が形成されている。また、以下の説明においては、外周端子部５２のうち、ケース外周小面４２ｂ，４２ｃに取り付けられる部分を、第１の外周端子部５２ａとし、ケース外周大面４４ａおよびケース外周大面４４ｄ（ケース外周大面４４ｃおよびケース外周大面４４ｂ）に取り付けられる部分を、第２の外周端子部５２ｂとする。これら第１および第２の外周端子部５２ａ，５２ｂは、周方向において、互いに約４５度ずつの角度で放射状の方向に形成されている。また、第１および第２の外周端子部５２ａ，５２ｂの間には、プレス加工上、必要な切れ目がそれぞれ形成されている。
【００４１】
上述の第１の外周端子部５２ａの先端部分（上方側の部分）は、さらに略９０度に径方向外側に折り曲げられている。この折り曲げられた先端部位は、平面端子５１と平行となり、ケース体４０の径方向外側に突出されている。この突出部位には、巻線３０の端末３１が絡げられる。すなわち、この突出部位が、絡げ端子５４となる。
【００４２】
このように、本実施の形態では、絡げ端子５４をケース体４０の径方向外側へ突出させているため、絡げ端子５４に対する巻線３０の絡げ作業が容易である。特に、ケース外周面のうち、ケース体４０の対角線に対して平行となるように切り欠いたケース外周小面４２ｂ，４２ｃに絡げ端子５４を設けているため、正方形の頂部に対応する部位に絡げ端子が存在する状態となる。そのため、絡げ端子５４の突出が、邪魔になるのを防ぐことができる。しかも、高さ方向への寸法の増大は生じない。
【００４３】
また、第２の外周端子部５２ｂには、補強取付部５３が一体的に設けられている。補強取付部５３は、第２の外周端子部５２ｂから上方に向かうように設けられている。本実施の形態では、補強取付部５３は、第１の外周端子部５２ａから離れる（第２の外周端子部５２ｂ側の先端部分に向かう）につれて、突出高さが増大するテーパ形状を有している。また、補強取付部５３は、かかるテーパ形状を備えると共に、その外観が略直角三角形状を為している。
【００４４】
この補強取付部５３は、取付凹部４６ｂに対する端子部材５０の取付面積を増大させるためのものである。すなわち、端子部材５０は、第２の外周端子部５２ｂに加えて補強取付部５３の分だけ、取付凹部４６ｂに対する取付面積が増大する。
【００４５】
なお、本実施の形態では、補強取付部５３は上方に向かい寸法Ｌ（図６参照）だけ突出していると共に、この寸法Ｌは、絡げ端子５４の下面と同程度の高さとなっている。この寸法Ｌは、絡げ端子５４の上面より高くしても良いが、若干低い状態であっても良い。
【００４６】
また、ケース体４０の内周面と上フランジ部２２のケース外周面とは、僅かな隙間を有して対向配置される。かかる隙間のうち、円弧面４３およびケース外周小面４２ａが存在する部位の隙間は、特に狭められている（図１および図３参照）。この狭められている隙間を中心として、孔部４１の内周面と上フランジ部２２のケース外周面との間の隙間には、接着剤が塗布され、ドラム型コア２０がケース体４０に対して接着固定される。
【００４７】
ドラム型コア２０の巻軸２１に巻回された巻線３０の端末３１は、図５に示すように、上下方向に重ねて配置された延出部４７および絡げ端子５４の両方の外側から巻き付けられる。ここで、通常は、巻線３０の端末３１が、絡げ端子５４のみに巻き付けられる構造を有している。そのため、極細線で構成された端末３１が、絡げ端子５４のエッジ部分に接触し、強いストレスのために断線するという問題が生じる。
【００４８】
しかし、本実施の形態では、図５および図６に示すように、端末３１が、延出部４７および絡げ端子５４の両方の外側から巻きつけられる構成を有している。そのため、端末３１は、絡げ端子５４のエッジ部分Ｅに対して鈍角で接触する状態となる。この結果、端末３１のエッジ部分Ｅとの接触部位に強い圧力が掛からず、テンションも低くなり、強いストレスがかからない。したがって、本実施の形態の面実装タイプのインダクタ１０においては、エッジ部分Ｅへの巻線３０の端末３１の接触による断線等の不具合が生じにくい。
【００４９】
以上のような構成を有するインダクタ１０によれば、補強取付部５３が存在することにより、取付凹部４６ｂに対する端子部材５０の接触面積を増大させることができる。それにより、取付凹部４６ｂ（ケース体４０）に対する端子部材５０の取付強度を向上させることができる。特に、従来の端子部材５０と比較して、形状が複雑化するのを防ぎながら取付面積を増大させているため、接着剤の塗布（回り込み）面積が増大し、接着剤のはみ出しを防止できる。また、接着剤の塗布面積の増大により、端子部材５０の接着強度を向上させることができる。しかも、形状の複雑化を防いでいるため、コストが増加するのを防ぐこともできる。
【００５０】
また、第２の外周端子部５２ｂから上方に向かい突出する補強取付部５３の存在により、平面端子５１が浮き上がるのを防ぐことができる。特に、延出部４７と絡げ端子５４との間に隙間がある状態で両者に巻線３０の端末３１を絡げると、巻線３０の巻回時の張力により、平面端子５１と外周端子部５２との間の部分を支点として、該隙間を無くする方向に端子部材５０が回動し、平面端子５１が浮き上がろうとする。しかしながら、本実施の形態では、第１の外周端子部５２ａに対して略４５度を為す第２の外周端子部５２ｂに、上方に突出している補強取付部５３が設けられている。そのため、端子部材５０が回動しようとしても、補強取付部５３の頂部側が取付凹部４６ｂにつっかえて、回動するのを妨げる。それにより、平面端子５１が取付凹部４６ｃから浮き上がるのを防ぐことができる。
【００５１】
また、端子部材５０の形状が複雑になるのを防ぐことができるので、インダクタ１０の一層の薄型化を図ることも可能となる。これと共に、平面端子５１の浮き上がりを確実に防げるため、規定の寸法のインダクタ１０を製造することができ、該浮き上がりによる寸法増加を抑えることができる。それによっても、インダクタ１０の薄型化に寄与し得る。すなわち、補強取付部５３の存在により、端子部材５０にモーメントが付与された場合でも、該モーメントに抗することができ、端子部材５０の取付状態を、一層安定化させることが可能となる。
【００５２】
また、本実施の形態では、巻線３０の端末３１が、延出部４７と絡げ端子５４の両方に絡げられ、端末３１が絡げ端子５４に対して鋭角に接触しない。そのため、端末３１に大きなストレスがかからなく、該端末３１に断線等の不具合が生じるのを防ぐことができる。
【００５３】
さらに、補強取付部５３は、端子部材５０に対して一体的に設けられている。このため、補強取付部５３が別体的な場合よりも、強度的に向上させることができる。また、端子部材５０には、第１の外周端子部５２ａと、該第１の外周端子部５２ａを挟んで両側に第２の外周端子部５２ｂとが設けられていて、このうち第２の外周端子部５２ｂから補強取付部５３が突出している。このように、補強取付部５３は、第２の外周端子部５２ａから突出する構成となるため、絡げ端子５４を挟んで両側に補強取付部５３が位置する構成となる。
【００５４】
ここで、第１の外周端子部５２ａと第２の外周端子部５２ｂとは、所定角度（略４５度）を為している。そのため、端子部材５０は、各外周端子部５２ａ，５２ｂで取付凹部４６に接着され、取付強度を一層向上させることができる。
【００５５】
また、ケース体４０のケース外周面には、取付凹部４６が設けられ、この取付凹部４６に端子部材４６が位置している。このため、端子部材５０の外周端子部５２をケース体４０のケース外周面に位置させても、該外周端子部５２が外方に向かい飛び出すのを抑えることができる。それにより、インダクタ１０の寸法が増大するのを抑えることができる。
【００５６】
さらに、補強取付部５３は、テーパ形状を備えると共に、その外観が略直角三角形状を為している。しかも、その略直角三角形状は、第１の外周端子部５２ａから離れるにつれて、突出長さが増大している。このため、ケース体４０のケース外周面に対する端子部材５０の取付強度を、一層向上させることができる。また、第１の外周端子部５２ａから離れる側の突出長さが増大しているため、絡げ端子５４と補強取付部５３とが干渉するのを防ぐことができる。
【００５７】
以上、本発明の一実施の形態について説明したが、本発明はこれ以外にも種々変形可能となっている。以下、それについて述べる。
【００５８】
上述の実施の形態では、第２の外周端子部５２ｂに対して略直角三角形状に形成された補強取付部５３を一体的に設けている。しかしながら、補強取付部５３は、略直角三角形状には限られない。例えば、図８に示すように、略長方形状の補強取付部６０を第２の外周端子部５２ｂから突出させる構成を採用しても良い。なお、この図８に示す構成では、突出寸法の大きな補強取付部６０に対応させて、取付凹部４６ｂがケース外周大面４４ａを上下方向に貫いている。しかしながら、ケース体４０の外周面側の強度が問題となる場合には、取付凹部４６ｂが上下方向に貫く構成を採用せずに、取付凹部４６ｂをケース体４０の上端面から所定だけ下方の部位で留めるようにするのが好ましい。
【００５９】
また、図９に示すように、円形状の一部を為す補強取付部６１を第２の外周端子部５２ｂから突出させる構成を採用しても良い。その他、階段形状、台形状等、種々の形状を採用することが可能である。
【００６０】
また、上述の実施の形態では、ケース体４０に延出部４７が設けられると共に、この延出部４７と重ねられる状態で、絡げ端子５４が位置している。しかしながら、延出部４７を省略する構成を採用しても良い。
【００６１】
さらに、上述の実施の形態では、補強取付部５３をインダクタ１０に設けた場合について説明している。しかしながら、補強取付部は、インダクタ以外の電子部品（トランス、フィルタ等）に設けるようにしても良い。また、ケース体４０の代わりに、磁性材から構成されるリングコアを用いても良い。
【００６２】
また、上述の実施の形態では、補強取付部５３は、端子部材５０と同一の金属プレートから形成されていて、該端子部材５０と一体的に設けられている。しかしながら、補強取付部は、端子部材５０と別体的であっても良い。例えば、補強取付部を、別途のバネ状部材で構成すると共に、このバネ状部材によって、端子部材５０を押さえ込むように構成しても良い。
【産業上の利用可能性】
【００６３】
本発明のインダクタは、電気機器の分野において利用することができる。
【図面の簡単な説明】
【００６４】
【図１】本発明の一実施の形態に係るインダクタの構成を示す斜視図であり、端子部材が設けられていない側から見た状態を示す図である。
【図２】図１のインダクタにおいて、端子部材が設けられている側から見た状態を示す斜視図である。
【図３】図１のインダクタにおいて、端子部材が設けられていない側から見た状態を示す平面図である。
【図４】図１のインダクタにおいて、端子部材が設けられている側から見た状態を示す平面図である。
【図５】図１のインダクタにおいて、矢示Ａ方向に沿って切断した状態を示す側断面図である。
【図６】図１のインダクタにおいて、矢示Ａ方向から見た正面図である。
【図７】図１のインダクタにおいて、矢示Ｂ方向から見た側面図である。
【図８】本発明のインダクタの変形例に係り、略長方形状の補強取付部を第２の外周端子部から突出させた構成を示す斜視図である。
【図９】本発明のインダクタの変形例に係り、円形状の一部を為す補強取付部を第２の外周端子部から突出させた構成を示す斜視図である。
【符号の説明】
【００６５】
１０…インダクタ
２０…ドラム型コア
２１…巻軸
２２…上フランジ部
２３…下フランジ部
２４…巻枠部
３０…巻線
３３…端末
４０…ケース体
４１…孔部
４２…ケース外周小面
４３…円弧面
４４…ケース外周大面
４５…鍔部
４６…取付凹部
４７…延出部
５０…端子部材
５１…平面端子
５２ａ…第１の外周端子部
５２ｂ…第２の外周端子部
５３…補強取付部
５４…絡げ端子
【図１】
0004616580.tif 000002
【図２】
0004616580.tif 000003
【図３】
0004616580.tif 000004
【図４】
0004616580.tif 000005
【図５】
0004616580.tif 000006
【図６】
0004616580.tif 000007
【図７】
0004616580.tif 000008
【図８】
0004616580.tif 000009
【図９】
0004616580.tif 000010